(57)【要約】【課題】内容物を吐出させる際の押下ヘッドの押下力を低減することができる吐出器を提供する。【解決手段】押下ヘッド３を押し下げることで、上下方向に延設された液用シリンダ１６内の内容物が、ノズル部３２の吐出口３２ａから吐出され、押下ヘッド３の押し下げを解除したときに、容器本体１１内の内容物が、容器本体１１内に連通する液用シリンダ１６内に供給される構成とされた吐出器１であって、押下ヘッド３を覆う外カバー７０と、一端部側が容器本体１１の口部Ａに装着される装着キャップ１２に連結され、かつ他端部側が外カバー７０に連結された帯体２３と、を備え、帯体２３は、押下ヘッド３を跨いで配設され、帯体２３のうち、一端部と他端部との間の中間部は、押下ヘッド３を押し下げ可能に、押下ヘッド３に係合し、帯体２３が装着キャップ１２と一体に形成されている。【選択図】図１
2018090272.tif 000002
【特許請求の範囲】
【請求項１】
内側が容器本体内に連通するとともに、上下方向に延びるシリンダ部と、
容器本体の口部に装着されるとともに、前記シリンダ部を前記容器本体の前記口部に固定する装着キャップと、
前記シリンダ部内に上下摺動可能に配設されたピストン部と、
上方付勢状態で下方移動可能に配設されるとともに、前記ピストン部の上下動に連係する押下ヘッドと、
前記シリンダ部内の内容物を吐出する吐出口が形成されたノズル部と、を備え、
前記押下ヘッドを押し下げることで、前記シリンダ部内の内容物が前記吐出口から吐出され、前記押下ヘッドの押し下げを解除したときに、前記容器本体内の内容物が前記シリンダ部内に供給される構成とされた吐出器であって、
前記押下ヘッドを覆う外カバーと、
一端部側が前記装着キャップに連結され、かつ他端部側が前記外カバーに連結された帯体と、を備え、
前記帯体は、前記押下ヘッドを跨いで配設され、前記帯体のうち、前記一端部と前記他端部との間の中間部は、前記押下ヘッドを押し下げ可能に前記押下ヘッドに係合し、
前記帯体は前記装着キャップと一体に形成されていることを特徴とする吐出器。
【請求項２】
前記押下ヘッドの外面には、前記帯体を長手方向に移動可能に収容し、前記帯体を幅方向の両側から支持する支持溝が形成されていることを特徴とする請求項１に記載の吐出器。
【請求項３】
前記押下ヘッドおよび前記外カバーには、互いが係合することで、シリンダ軸周りに沿う周方向の相対移動を規制する規制部が各別に形成されていることを特徴とする請求項１又は２に記載の吐出器。
【発明の詳細な説明】
【技術分野】
【０００１】
本発明は、吐出器に関する。
【背景技術】
【０００２】
従来、例えば下記特許文献１に示されるように、内側が容器本体内に連通するとともに、上下方向に延びるシリンダ部と、容器本体の口部に装着されるとともに、シリンダ部を容器本体の口部に固定する装着キャップと、シリンダ部内に上下摺動可能に配設されたピストン部と、上方付勢状態で下方移動可能に配設されるとともに、ピストン部の上下動に連係する押下ヘッドと、シリンダ部内の内容物を吐出する吐出口が形成されたノズル部と、を備え、押下ヘッドを押し下げることで、シリンダ部内の内容物が吐出口から吐出され、押下ヘッドの押し下げを解除したときに、容器本体内の内容物がシリンダ部内に供給される構成とされた吐出器が知られている。
【先行技術文献】
【特許文献】
【０００３】
【特許文献１】特開２０１５−１２７２４２号公報
【発明の概要】
【発明が解決しようとする課題】
【０００４】
しかしながら、前記従来の吐出器では、内容物を吐出させる際の押下ヘッドの押下力を低減することに改善の余地があった。
【０００５】
そこで本発明は、前述した事情に鑑みてなされたものであり、内容物を吐出させる際の押下ヘッドの押下力を低減することができる吐出器を提供することを目的とする。
【課題を解決するための手段】
【０００６】
前記課題を解決するために、本発明に係る吐出器は、内側が容器本体内に連通するとともに、上下方向に延びるシリンダ部と、容器本体の口部に装着されるとともに、前記シリンダ部を前記容器本体の前記口部に固定する装着キャップと、前記シリンダ部内に上下摺動可能に配設されたピストン部と、上方付勢状態で下方移動可能に配設されるとともに、前記ピストン部の上下動に連係する押下ヘッドと、前記シリンダ部内の内容物を吐出する吐出口が形成されたノズル部と、を備え、前記押下ヘッドを押し下げることで、前記シリンダ部内の内容物が前記吐出口から吐出され、前記押下ヘッドの押し下げを解除したときに、前記容器本体内の内容物が前記シリンダ部内に供給される構成とされた吐出器であって、前記押下ヘッドを覆う外カバーと、一端部側が前記装着キャップに連結され、かつ他端部側が前記外カバーに連結された帯体と、を備え、前記帯体は、前記押下ヘッドを跨いで配設され、前記帯体のうち、前記一端部と前記他端部との間の中間部は、前記押下ヘッドを押し下げ可能に前記押下ヘッドに係合し、前記帯体は前記装着キャップと一体に形成されていることを特徴とする。
【０００７】
この発明によれば、帯体において、装着キャップに連結された一端部側と、外カバーに連結された他端部側と、の間の中間部が、押下ヘッドを押し下げ可能となるように押下ヘッドに係合しているので、外カバーを押下すると、帯体における前記一端部側が装着キャップに固定された状態で、前記他端部側が外カバーとともに下降移動するのに伴い、前記中間部が帯体の長手方向に沿って押下ヘッド上を移動する。このため、押下ヘッドが、帯体の前記中間部により下降移動させられ、ピストン部がシリンダ部内を下降移動する。
【０００８】
したがって、帯体のうち、前記一端部側が支点として、前記他端部側が力点として、前記中間部が作用点として、それぞれ機能することとなる。また、この過程において、帯体における前記中間部のうち、押下ヘッドを押下する作用点部分と、力点である前記他端部側と、の距離が漸次長くなる一方、帯体における前記中間部のうち、前記作用点部分と、支点である前記一端部側と、の距離が漸次短くなる。
【０００９】
これにより、内容物を吐出する過程において、外カバーに加えた押下力を、梃子の原理により増幅させて前記中間部を介して押下ヘッドに及ぼすことができ、内容物を吐出する際の押下ヘッドの押下力を漸次低減することができる。これにより、優れた操作性を具備させることができる。
また、帯体が装着キャップと一体に形成されているので、吐出器の部品点数を削減することができる。
【００１０】
また、前記押下ヘッドの外面には、前記帯体を長手方向に移動可能に収容し、前記帯体を幅方向の両側から支持する支持溝が形成されてもよい。
この場合には、外カバーを押し下げた際に、帯体の前記中間部が、押下ヘッドの外面に形成された支持溝に幅方向に支持されながら、長手方向に沿って移動することができ、外カバーを押し下げた際の帯体の動作を安定させることができる。
【００１１】
また、前記押下ヘッドおよび前記外カバーには、互いが係合することで、シリンダ軸周りに沿う周方向の相対移動を規制する規制部が各別に形成されてもよい。
この場合には、外カバーおよび押下ヘッドの周方向の相対移動が規制されるため、外カバーが押下ヘッドに対して相対的に下降する動作を安定させることができる。
【発明の効果】
【００１２】
本発明によれば、内容物を吐出させる際の押下ヘッドの押下力を低減することができる。
【図面の簡単な説明】
【００１３】
【図１】本発明の第１実施形態に係る吐出器の縦断面図である。
【図２】図１に示す吐出器の（ａ）外カバー、押下ヘッド、および帯体のＡ−Ａ線矢視断面図、（ｂ）要部の（ａ）におけるＢ−Ｂ線矢視断面図である。
【図３】図１に示す吐出器において内容物を吐出する状態を示す図である。
【図４】図１に示す吐出器における装着キャップの（ａ）上面図、（ｂ）前方から見た図、（ｃ）（ｂ）におけるｅ−ｅ線矢視断面図である。
【図５】図１に示す吐出器における外カバーの（ａ）上面図、（ｂ）（ａ）におけるＣ−Ｃ線矢視断面図、（ｃ）（ａ）におけるＤ−Ｄ線矢視断面図である。
【図６】図１に示す吐出器における押下ヘッドの（ａ）上面図、（ｂ）側面図である。
【発明を実施するための形態】
【００１４】
以下、図面を参照して、本発明の第１実施形態に係る吐出器について説明する。なお、以下の説明に用いる各図面では、各部材を認識可能な大きさとするために縮尺を適宜変更している。
【００１５】
図１に示すように、吐出器１は、内側が容器本体１１内に連通する液用シリンダ（シリンダ部）１６と、容器本体１１の口部Ａに装着されるとともに、液用シリンダ１６を、容器本体１１の口部Ａに固定する装着キャップ１２と、液用シリンダ１６内に摺動可能に配設された液用ピストン（ピストン部）１５と、液用ピストン１５に連係する押下ヘッド３と、液用シリンダ１６内の内容物を吐出する吐出口３２ａが形成されたノズル部３２と、を備えている。
【００１６】
ここで、容器本体１１は有底筒状に形成され、容器本体１１および液用シリンダ１６は、共通軸上に配置されている。以下では、この共通軸をシリンダ軸Ｏといい、シリンダ軸Ｏに沿って、押下ヘッド３側を上側、容器本体１１の底部側を下側という。また、シリンダ軸Ｏに沿う方向を上下方向といい、上面視において、シリンダ軸Ｏに直交する方向を径方向といい、シリンダ軸Ｏ回りに周回する方向を周方向という。
【００１７】
吐出器１は、容器本体１１の口部Ａに上方付勢状態で下方移動可能に立設されたステム１０と、押下ヘッド３およびステム１０の上下動に連係する空気用ピストン１３と、空気用ピストン１３が内部に上下摺動可能に収容された空気用シリンダ１４と、空気用シリンダ１４からの空気と液用シリンダ１６からの内容物とが合流する気液混合室Ｒ１と、空気用シリンダ１４からの空気を気液混合室Ｒ１に導く空気通路５と、気液混合室Ｒ１で混合された気液混合体を発泡させるとともに、所定の泡質にする発泡部材１７と、を備えている。
【００１８】
装着キャップ１２には、ステム１０が上下動自在に挿入される挿通孔１２Ａが形成されている。ステム１０の上端部内に気液混合室Ｒ１が画成されている。
装着キャップ１２は、挿通孔１２Ａが形成された天壁部２０と、天壁部２０の外周縁から下方に向けて延びた装着周壁部２１と、天壁部２０における挿通孔１２Ａの開口周縁部から上方に向けて延びるガイド筒部２２と、を備えている。装着周壁部２１の内周面には、容器本体１１の口部Ａに螺着された雌ねじ部が形成されている。
なお、装着キャップ１２の構成は、この場合に限定されるものではなく、例えば装着周壁部２１を容器本体１１の口部Ａに対してアンダーカット嵌合させることで装着しても構わない。
【００１９】
液用シリンダ１６および空気用シリンダ１４はそれぞれ円筒状をなし、上下方向に延びている。図示の例では、液用シリンダ１６の上端開口部と、空気用シリンダ１４の下端開口部と、が一体に連設されることで、液用シリンダ１６および空気用シリンダ１４が一体に形成されている。
より詳細には、空気用シリンダ１４は、有底筒状に形成され、その底面に筒状の液用シリンダ１６が空気用シリンダ１４の内部と連通した状態で連結されている。つまり、大径の空気用シリンダ１４の下側に小径の液用シリンダ１６が連設されている。
なお、液用シリンダ１６と空気用シリンダ１４とをそれぞれ別体に構成したうえで、例えば、両者を係止する等して繋げても構わない。
【００２０】
また、空気用シリンダ１４の上端開口部は、装着キャップ１２における装着周壁部２１および天壁部２０の内面にそれぞれ密着した状態で固定されている。これにより、液用シリンダ１６および空気用シリンダ１４は、装着キャップ１２から垂下した状態で容器本体１１の内部に配置されている。
【００２１】
押下ヘッド３は、下端部内にステム１０の上端部が嵌合された装着筒部３０と、上下方向に延び、装着筒部３０を径方向の外側から囲繞する外筒部３１と、を備えている。押下ヘッド３は、装着筒部３０の下端部内に、ステム１０の上端部が嵌合されることにより、上方付勢状態で下方移動可能に配設される。
また、押下ヘッド３には、装着筒部３０から径方向の外側に向けて突出するノズル部３２が一体に形成されている。ノズル部３２の先端部に吐出口３２ａが形成されている。なお、ノズル部３２は、押下ヘッド３と別体であってもよい。
【００２２】
以下、上面視において、ノズル部３２が装着筒部３０から突出する方向を前側といい、その逆を後側という。また、上面視において前後方向に直交する方向を左右方向という。
装着筒部３０は、装着キャップ１２におけるガイド筒部２２の径方向の内側に上下動自在に挿入されている。装着筒部３０の上端開口部は、ノズル部３２の基端開口部に連通している。装着筒部３０とノズル部３２とは縦断面視でＬ字状をなすように接続されている。
外筒部３１の内径は、ガイド筒部２２の外径よりも大きくなっている。押下ヘッド３を押し下げたときに、外筒部３１の内周面とガイド筒部２２の外周面とが径方向で対向する。
【００２３】
外筒部３１の外周面における下端部には、径方向の外側に向けて突出する嵌合突部３１ａが形成されている。嵌合突部３１ａは、外筒部３１の外周面に周方向に間隔をあけて複数形成されている。嵌合突部３１ａの下端と、ノズル部３２の下端と、の上下方向の位置が互いに同等となっている。
【００２４】
発泡部材１７は、押下ヘッド３の装着筒部３０内における上下方向の略中央領域に配設されており、気液混合室Ｒ１と吐出口３２ａとの間に位置している。発泡部材１７は、筒状のケーシング４０と、ケーシング４０内に装着された２つの発泡エレメント４１と、を備えている。
【００２５】
ケーシング４０は、上側が大径部４０ａ、下側が小径部４０ｂとされた２段円筒状に形成されている。大径部４０ａは、装着筒部３０の内側のうち、ステム１０より上方に位置する部分に嵌合され、小径部４０ｂはステム１０の上端部の内側に嵌合されている。小径部４０ｂの外周面には、その下端から上方に延びて大径部４０ａの下面に至り、さらにその径方向における外側に向けて延在して開口したケーシング溝４２が、周方向に間隔をあけて複数形成されている。
なお、ケーシング４０の上端開口縁は、装着筒部３０の内周面から径方向の内側に突出するとともに、周方向に間隔をあけて配置された複数の縦リブ３０ｂの各下端に当接している。
【００２６】
発泡エレメント４１は、筒状体４１ａの一端開口部に、所定の網目が形成されたメッシュ部材４１ｂが配設された構成とされ、上下に２段に重なった状態でケーシング４０における大径部４０ａの内側に装着されている。この際、２つの発泡エレメント４１のうち、ケーシング４０内の下側に位置する発泡エレメント４１は、メッシュ部材４１ｂが下側を向き、ケーシング４０内の上側に位置する発泡エレメント４１は、メッシュ部材４１ｂが上側を向くように配置されている。
【００２７】
空気用ピストン１３は、空気用シリンダ１４内に密に上下摺動可能に配設され、多段筒状に形成された外筒５０と、外筒５０の内側に配置された内筒５１と、外筒５０の上端部と内筒５１の外周面とを連結し、上下方向に貫通する空気孔５２が形成された天板部５３と、内筒５１に外嵌されて空気孔５２を開閉する環状のピストン用弁体５４と、を備えている。
【００２８】
内筒５１は、上下に開口した筒状に形成され、その内側にはステム１０が上下動可能に挿入されている。この内筒５１の上端縁には、装着筒部３０の下端部における内周面に摺接する上側摺接部５１ａが全周にわたって形成されている。外筒５０の下端部には、空気用シリンダ１４の内面に摺接する環状の下側摺接部５０ａが形成されている。
なお、上側摺接部５１ａの上端縁と、装着筒部３０の内周面と、の間には、上下方向の隙間Ｓが設けられている。また、装着筒部３０の下端開口縁と天板部５３の上面との間にも上下方向の隙間が設けられている。
【００２９】
内筒５１とステム１０との間には、後述するステム溝１０ａが形成されている。ステム溝１０ａは、空気通路５の一部を形成する。ステム１０は、押下ヘッド３における装着筒部３０の下端開口部から下方に突出している。
装着筒部３０の内周面において、ステム１０の上端部が嵌合された部分には、上下方向に延在し、かつ下方に開口した縦溝３０ａが、周方向に間隔をあけて複数形成されている。縦溝３０ａは、ステム１０の上端開口縁を径方向に跨いで、発泡部材１７のケーシング４０に形成された複数のケーシング溝４２に連通しているとともに上記隙間Ｓに連通している。
【００３０】
ステム１０の内周面において、液用ピストン１５と発泡部材１７との間に位置する部分には、径方向の内側に向けて円環状の弁座６０が突設されている。弁座６０には、着座および離反可能な球状の液吐出弁６１が設けられている。そして、ステム１０の内部において、発泡部材１７におけるケーシング４０の小径部４０ｂの下端部と、弁座６０の上面との間の空間が気液混合室Ｒ１とされている。
【００３１】
ステム１０の外周面において、空気用ピストン１３における内筒５１が配設された部分には、上下方向に延在し、かつ上記隙間Ｓに連通するステム溝１０ａが、周方向に間隔をあけて複数形成されている。そして、このステム溝１０ａと、装着筒部３０に形成された縦溝３０ａと、発泡部材１７のケーシング４０に形成されたケーシング溝４２と、前記隙間Ｓと、によって、空気用シリンダ１４と気液混合室Ｒ１とを連通する空気通路５が構成されている。
【００３２】
また、ステム１０の外周面において、複数のステム溝１０ａの下端部が位置する部分に、径方向の外側に向けて突出するフランジ状の当接部６２が形成されている。当接部６２は、ステム１０と一体に形成されている。
当接部６２は、空気用ピストン１３における内筒５１の下端開口縁に、内筒５１の下方から当接する。これにより、当接部６２は、空気通路５を通した気液混合室Ｒ１内と空気用シリンダ１４内との連通を遮断している。
【００３３】
液用ピストン１５は、押下ヘッド３およびステム１０の上下動に連係し、液用シリンダ１６の内部に、上下摺動可能に収容されている。
液用ピストン１５のうち、その上端側がステム１０の内側に密に嵌合される小径筒部１５ａとされ、下端側がステム１０の下端開口縁から下方に突出し、かつその外周面がステム１０の外周面とほぼ面一とされた大径筒部１５ｂとされている。
液用ピストン１５および液用シリンダ１６の内部には、上端部が中空逆円錐状をなす上部弁体６５ａとされるとともに、下端部が液用シリンダ１６内の下端開口部に着座および離反可能な下部弁体６５ｂとされた棒状の弁部材６５が設けられている。
【００３４】
上部弁体６５ａは、液用シリンダ１６内とステム１０の上端部内との連通およびその遮断を切替える弁とされている。なお、液用ピストン１５と液用シリンダ１６の下端部内面との間には、コイルスプリング６６が配設されている。
このコイルスプリング６６は、液用ピストン１５を、大径筒部１５ｂの下方から上方付勢状態で下方移動可能に支持している。
【００３５】
そして本実施形態では、図２に示すように、吐出器１は、押下ヘッド３を覆う外カバー７０と、一端部２３ａ側が装着キャップ１２に連結され、かつ他端部２３ｂ側が外カバー７０に連結された帯体２３と、を備えている。
図５に示すように、外カバー７０は、上面視で円形状をなす押下板７１と、押下板７１の下面から下方に向けて突出する連結筒７２と、を備えている。押下板７１および連結筒７２はそれぞれ、シリンダ軸Ｏと同軸に配設されている。
【００３６】
連結筒７２のうち、前方を向く部分には、連結筒７２を径方向に貫通する縦孔７２ａが形成されている。縦孔７２ａは、前方から見て上下方向に長い長方形状をなし、連結筒７２の前方を向く部分のうち、下端部を除く上下方向の全域にわたって形成されている。図１に示すように、縦孔７２ａ内に、押下ヘッド３のノズル部３２が挿通されている。
図５に示すように、連結筒７２の内周面における下端部には、径方向の内側に向けて突出する係合突部７２ｂが形成されている。係合突部７２ｂは、周方向に間隔をあけて複数形成されている。図１に示すように、係合突部７２ｂは、押下ヘッド３の嵌合突部３１ａに、嵌合突部３１ａの下方から当接若しくは近接している。
【００３７】
図４に示すように、帯体２３は、周方向に間隔をあけて２つ配設されている。帯体２３は、シリンダ軸Ｏを径方向に挟む位置に各別に配設され、装着キャップ１２と一体に形成されている。２つの帯体２３は、前後方向の位置を互いに異ならせて配置されている。２つの帯体２３はそれぞれ、装着キャップ１２における前後方向の中央部から前側および後側に位置がずらされて配設されている。
【００３８】
帯体２３の一端部２３ａは、装着キャップ１２の天壁部２０に立設された連結板２４の上端縁に連結されている。連結板２４は、天壁部２０のうち、ガイド筒部２２の径方向の外側に位置する部分に立設されている。連結板２４は、天壁部２０のうち、シリンダ軸Ｏを径方向に挟む位置に各別に配設されている。
【００３９】
２つの帯体２３は、天壁部２０のうち、上面視においてシリンダ軸Ｏ回りに１８０°回転対称となる位置に各別に配設されている。
なお、帯体２３は１つ配設されてもよいし、３つ以上配設されてもよい。また、帯体２３は、装着キャップ１２のうち、連結板２４ではなく、天壁部２０、装着周壁部２１、又はガイド筒部２２に、直接形成されてもよい。
【００４０】
図２に示すように、帯体２３の他端部２３ｂは、外カバー７０の下端部に連結されている。帯体２３は、装着キャップ１２に対して一端部２３ａ回りに上下方向に回動可能に配設されている。図４に示すように、帯体２３は上面視で左右方向に沿って延びている。
帯体２３の他端部２３ｂには、外カバー７０に連結された連結片２３ｄが形成されている。連結片２３ｄは、帯体２３の他端部２３ｂの表裏面のうち、左右方向の外側を向く表面に形成されている。
【００４１】
図２および図４に示すように、連結片２３ｄは、帯体２３の幅方向に延び、帯体２３の他端部２３ｂの表面から左右方向の外側に離れた位置に配設された幅広片２３ｅと、幅広片２３ｅよりも幅方向に短く、幅広片２３ｅと帯体２３の他端部２３ｂとを接続する接続片２３ｆと、を備えている。幅広片２３ｅおよび接続片２３ｆそれぞれの幅方向の中央部同士は互いに一致している。
【００４２】
また本実施形態では、図２および図４に示すように、帯体２３は、押下ヘッド３を跨いで配設され、帯体２３のうち、一端部２３ａと他端部２３ｂとの間の中間部２３ｃは、押下ヘッド３を押し下げ可能に、押下ヘッド３に係合している。図示の例では、連結片２３ｄの幅広片２３ｅにおける左右方向の外側を向く外面は、中心軸線Ｏを中心とする円弧上に形成されている。
２つの帯体２３のうち、前側に位置する帯体２３の幅広片２３ｅは、後側から前側に向かうに従い漸次、径方向の大きさが小さくなり、後側に位置する帯体２３の幅広片２３ｅは、前側から後側に向かうに従い漸次、径方向の大きさが小さくなっている。
【００４３】
また本実施形態では、図６に示すように、押下ヘッド３の外面には、帯体２３を長手方向に移動可能に収容し、帯体２３を幅方向の両側から支持する支持溝３３が形成されている。
支持溝３３は、押下ヘッド３に前後方向に間隔をあけて２つ形成され、互いに同等の形状をなしている。支持溝３３は、押下ヘッド３の外周面のうち、ノズル部３２を左右方向に挟む両側面、および押下ヘッド３の上面に一体に形成されている。図２に示すように、２つの支持溝３３内に、２つの帯体２３が各別に収容されている。
【００４４】
また本実施形態では、押下ヘッド３および外カバー７０には、互いが係合することで、シリンダ軸Ｏ周りに沿う周方向の相対移動を規制する第１規制部７３、および第２規制部３４が各別に形成されている。
図５に示すように、第１規制部７３は、外カバー７０の連結筒７２の内周面に形成され、径方向の内側に向けて突出している。
【００４５】
第１規制部７３は、周方向に間隔をあけて２つ配設されている。第１規制部７３は、シリンダ軸Ｏを径方向に挟む位置に各別に配設されている。２つの第１規制部７３は、前後方向の位置を互いに異ならせて配置されている。２つの第１規制部７３はそれぞれ、外カバー７０における前後方向の中央部から前側および後側に位置がずらされて配設されている。
２つの第１規制部７３は、連結筒７２の内周面に上下方向の全域にわたって形成されている。第１規制部７３は、連結筒７２の内周面のうち、上面視においてシリンダ軸Ｏ回りに１８０°回転対称となる位置に各別に配設されている。
【００４６】
第１規制部７３には、連結筒７２の内周面から前後方向に突出する第１平坦面７３ａと、連結筒７２の内周面から左右方向に突出し、第１平坦面７３ａの先端に接続された第１規制面７３ｂと、が形成されている。第１規制面７３ｂは、連結筒７２の内周面と直交している。
【００４７】
第１規制部７３の下端部には、帯体２３の他端部２３ｂが収容された収容部７４が形成されている。収容部７４は、下方に向けて開口し、前後方向に延びる第１凹部７４ａと、第１凹部７４ａの径方向の内端に連なり、連結筒７２の内側に開口する第２凹部７４ｂと、を備えている。第２凹部７４ｂの前後方向の長さは、第１凹部７４ａよりも短くなっている。
【００４８】
収容部７４の第１凹部７４ａの内面のうち、径方向の内側を向く面は、中心軸線Ｏを中心とする円弧形状に形成されている。２つの収容部７４のうち、前側に位置する収容部７４の第１凹部７４ａは、後側から前側に向かうに従い漸次、径方向の大きさが小さくなり、後側に位置する収容部７４の第１凹部７４ａは、前側から後側に向かうに従い漸次、径方向の大きさが小さくなっている。
帯体２３の連結片２３ｄのうち、幅広片２３ｅが収容部７４の第１凹部７４ａ内に収容され、接続片２３ｆが収容部７４の第２凹部７４ｂ内に収容される。
【００４９】
第２規制部３４は、押下ヘッド３の両側面に形成され、径方向の外側に向けて突出する第２規制部３４が形成されている。第２規制部３４は、周方向に間隔をあけて２つ配設されている。第２規制部３４は、シリンダ軸Ｏを径方向に挟む位置に各別に配設されている。２つの第２規制部３４は、前後方向の位置を互いに異ならせて配置されている。２つの第２規制部３４はそれぞれ、押下ヘッド３における前後方向の中央部から前側および後側に位置がずらされて配設されている。
２つの第２規制部３４は、押下ヘッド３の両側面のうち、上面視においてシリンダ軸Ｏ回りに１８０°回転対称となる位置に各別に配設されている。第２規制部３４は、押下ヘッド３の側面のうち、２つの支持溝３３の前後方向の間に位置する部分に、上下方向の全域にわたって形成されている。
【００５０】
第２規制部３４の幅は、押下ヘッド３の側面のうち、２つの支持溝３３同士の間に位置する部分の幅より小さくなっている。第２規制部３４には、押下ヘッド３の側面のうち、２つの支持溝３３同士の間に位置する部分から左右方向の外側に向けて突出する第２規制面３４ｂと、第２規制面３４ｂの先端に接続されるとともに、左右方向を向き、かつ前後方向に延びる第２平坦面３４ａと、が形成されている。第２規制面３４ｂは、２つの第２規制部３４のうち、前側に位置する第２規制部３４では後方を向き、後側に位置する第２規制部３４では前方を向いている。
図２に示すように、外カバー７０の第１規制部７３における第１規制面７３ｂと、押下ヘッド３の第２規制部３４における第２規制面３４ｂと、が前後方向で当接若しくは近接している。
【００５１】
次に、外カバー７０を押下ヘッド３に取り付ける作業について説明する。
ステム１０に押下ヘッド３を装着した後に、装着キャップ１２に連結された２つの帯体２３の中間部２３ｃを、押下ヘッド３の上面を跨がせながら、押下ヘッド３の支持溝３３内に各別に収容する。
その後、外カバー７０を押下ヘッド３に取り付ける際に、帯体２３の連結片２３ｄを、外カバー７０の連結筒７２に形成された収容部７４内に、下方から挿入して収容する。
【００５２】
次に、吐出器１の作用について説明する。
はじめに、図１に示すように、押下ヘッド３を押下する前の待機状態では、ステム１０の当接部６２に、空気用ピストン１３における内筒５１の下端開口縁が当接し、かつ押下ヘッド３における装着筒部３０の内面と内筒５１の上側摺接部５１ａの上端縁との間に隙間Ｓが設けられている。
【００５３】
次に、外カバー７０の押下板７１を押し下げ操作すると、外カバー７０に連結された帯体２３の他端部２３ｂが、押下ヘッド３の径方向の外側を下方に向けて移動する。
このため、帯体２３の中間部２３ｃが順次、他端部２３ｂ側に向けて、押下ヘッド３の支持溝３３内を支持溝３３が延びる方向に移動する。これにより、中間部２３ｃが、押下ヘッド３をコイルスプリング６６の付勢力に抗して、下方に向けて押し下げる。
【００５４】
ここで、前述のように、外カバー７０の押下板７１を押し下げる過程において、帯体２３の中間部２３ｃのうち、押下ヘッド３を押下する作用点部分は、他端部２３ｂ側に位置する部分から、一端部２３ａ側に位置する部分に向けて順次移動してゆく。
この際、帯体２３のうちの一端部２３ａは、装着キャップ１２の連結板２４に固定されており、他端部２３ｂは、外カバー７０に連結されている。このため、中間部２３ｃにより押し下げられる押下ヘッド３は、外カバー７０および帯体２３と近似的に動滑車を構成している。すわなち、外カバー７０の下方に向けた変位量は、押下ヘッド３の下方に向けた変位量と比べて、動滑車における仕事の原理により、約２倍となる。
【００５５】
これに追従して、発泡部材１７、ステム１０、液用ピストン１５が下方移動するとともに、コイルスプリング６６が上下方向に圧縮変形される。
このとき、空気用ピストン１３は移動せず、この空気用ピストン１３における内筒５１の下端開口縁と、ステム１０における当接部６２と、の間に隙間が形成される。また、空気用ピストン１３における内筒５１の上端縁と、装着筒部３０の内面と、の間の隙間Ｓが小さくなる。これにより、空気通路５を通して空気用シリンダ１４内と気液混合室Ｒ１内とが連通する。
【００５６】
さらに、液用ピストン１５の下方への移動に伴い、下部弁体６５ｂも下方に移動する。
そして、この下部弁体６５ｂが液用シリンダ１６の下端開口部に着座して閉塞する。また、液用ピストン１５の上端部が弁部材６５の上部弁体６５ａから下方に離反し、液用シリンダ１６とステム１０内とが連通する。
【００５７】
そして、さらに外カバー７０を押し下げ操作すると、図３に示すように、空気用ピストン１３も、ピストン用弁体５４が空気孔５２を閉塞したままの状態で下方に移動させられることにより、空気用シリンダ１４内において、空気用ピストン１３の下方に位置する下室内の空気が圧縮させられる。これにより、この下室内の空気が、空気用ピストン１３における内筒５１の下端開口縁とステム１０の当接部６２との間の隙間から空気通路５内に流入して気液混合室Ｒ１に移送される。
【００５８】
さらにこの際、弁部材６５の下部弁体６５ｂが液用シリンダ１６の下端開口部を閉塞した状態で、液用ピストン１５が下方移動するので、液用シリンダ１６内の内容物が上昇してステム１０内に到達する。そして、液用シリンダ１６内の液圧を、ステム１０の弁座６０に着座している液吐出弁６１に作用させてこの液吐出弁６１を弁座６０から離反させることにより、液用シリンダ１６内の内容物を気液混合室Ｒ１内に移送することができる。
【００５９】
以上のことから、気液混合室Ｒ１内で内容物および空気を合流させて気液混合体にすることができる。すると、この気液混合体は、小径部４０ｂから発泡部材１７の内部に流れ込んで発泡するとともに、２つの発泡エレメント４１のメッシュ部材４１ｂを通過することで、きめの細かい所定の泡質となる。
【００６０】
そして、外カバー７０の押し下げを解除すると、コイルスプリング６６の弾性復元力により押下ヘッド３、ステム１０、ステム１０に連係された空気用ピストン１３、および液用ピストン１５が上方に復元移動する。
詳細には、ステム１０の上昇により、当接部６２が空気用ピストン１３における内筒５１の下端開口縁に下方から当接するので、空気用ピストン１３がステム１０とともに上昇する。この際、空気用シリンダ１４の下室の体積が膨張することで負圧が生じるので、ピストン用弁体５４が開き、空気孔５２を通じて空気用シリンダ１４内に空気が引き込まれる。これにより、空気用シリンダ１４の下室の負圧が解消され、ピストン用弁体５４が空気孔５２を閉塞することで図１に示す状態に復帰する。また、液用ピストン１５がステム１０とともに上昇することで、ステム１０および液用シリンダ１６内の体積が膨張することで負圧が生じ、容器本体１１内の内容物が液用シリンダ１６内に供給される。
【００６１】
なおこの際、押下ヘッド３の上昇に伴い、支持溝３３内に位置する帯体２３の中間部２３ｃが押し上げられる。これにより、帯体２３の中間部２３ｃが順次、一端部２３ａ側に向けて、支持溝３３内を支持溝３３が延びる方向に摺動しながら移動する。その結果、帯体２３の他端部２３ｂが、外カバー７０とともに上昇移動する。
【００６２】
以上説明したように、本実施形態に係る吐出器１によれば、押下ヘッド３が、液用ピストン１５を下降移動させる際に、帯体２３のうち、一端部２３ａ側が支点として、他端部２３ｂ側が力点として、中間部２３ｃが作用点として、それぞれ機能することとなる。また、この過程において、帯体２３における中間部２３ｃのうち、押下ヘッド３を押下する作用点部分と、力点である他端部２３ｂ側と、の距離が漸次長くなる一方、帯体２３における中間部２３ｃのうち、前記作用点部分と、支点である一端部２３ａ側と、の距離が漸次短くなる。
【００６３】
これにより、内容物を吐出する過程において、外カバー７０に加えた押下力を、梃子の原理により増幅させて中間部２３ｃを介して押下ヘッド３に及ぼすことができ、内容物を吐出する際の押下ヘッド３の押下力を漸次低減することができる。このため、例えば液用シリンダ１６内および空気用シリンダ１４内の横断面積を大きくした構成等において、各シリンダ１４、１６内の横断面積に比例して、押下ヘッド３の押下力が大きくなった場合であっても、優れた操作性を具備させることができる。
また、帯体２３が装着キャップ１２と一体に形成されているので、吐出器１の部品点数を削減することができる。
【００６４】
また、押下ヘッド３の外面には、帯体２３を長手方向に移動可能に収容し、帯体２３を幅方向の両側から支持する支持溝３３が形成されているので、外カバー７０を押し下げた際に、帯体２３の中間部２３ｃが、押下ヘッド３の外面に形成された支持溝３３に幅方向に支持されながら、長手方向に沿って移動することができ、外カバー７０を押し下げた際の帯体２３の動作を安定させることができる。
【００６５】
また、押下ヘッド３および外カバー７０には、互いが係合することで、周方向の相対移動を規制する規制部７３，３４が各別に形成されているので、外カバー７０および押下ヘッド３の周方向の相対移動が規制されるため、外カバー７０が押下ヘッド３に対して相対的に下降する動作を安定させることができる。
【００６６】
本発明は上記した実施の形態に限定されるものではなく、その趣旨を逸脱しない範囲で適宜変更可能である。
【００６７】
例えば、上記実施形態においては、吐出器１として、例えば、液用シリンダ１６内から上方付勢状態で下方移動可能に立設されたステム１０を有し、このステム１０の上端部に、ノズル部３２が装着されたポンプとされた構成を示したが、このような態様に限られない。吐出器としては、ステムを有さず、ノズル部がシリンダ部の下端部に連結された構成であってもよい。
【００６８】
また、上記実施形態においては、押下ヘッド３の外面に、帯体２３を長手方向に移動可能に収容し、帯体２３を幅方向の両側から支持する支持溝３３が形成されている構成を示したが、このような態様に限られない。押下ヘッド３の外面に、支持溝３３が形成されなくてもよい。
また、上記実施形態においては、押下ヘッド３および外カバー７０に、互いが係合することで、周方向の相対移動を規制する規制部７３、３４が各別に形成されている構成を示したが、このような態様に限られない。押下ヘッド３および外カバー７０に規制部７３、３４が各別に形成されなくてもよい。
【００６９】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００７０】
１  吐出器
３  押下ヘッド
１１  容器本体
１２  装着キャップ
１３  空気用ピストン
１４  空気用シリンダ
１５  液用ピストン（ピストン部）
１６  液用シリンダ（シリンダ部）
２３  帯体
２３ａ  一端部
２３ｂ  他端部
２３ｃ  中間部
３２  ノズル部
３２ａ  吐出口
３３  支持溝
３４  第２規制部（規制部）
７０  外カバー
７３  第１規制部（規制部）
【図１】
2018090272.tif 000003
【図２】
2018090272.tif 000004
【図３】
2018090272.tif 000005
【図４】
2018090272.tif 000006
【図５】
2018090272.tif 000007
【図６】
2018090272.tif 000008